(57)【要約】【課題】切換えピースが記録可能姿勢と記録禁止姿勢とに適正に切り換わっていることを明確に判別でき、切換えピースが中間位置に切り換わった状態のままでテープドライブに装填されるのを防止することによって、誤消去を確実に阻止する。【解決手段】本体ケース１の周壁の一部に表示窓８を有する。本体ケース１には、表示窓８の内方に誤消去防止用の切換えピース９を配置する。切換えピース９は筒部１０を有し、筒部１０は回転軸１２と同心状に形成された優弧状の筒壁２０と、筒壁２０の端部どうしをつなぐ平坦壁２１とでトンネル断面形状に形成する。平坦壁２１の外面と、平坦壁２１に対向する筒壁２０の外面とには、それぞれ記録禁止状態を意味する禁止表示２２と、記録可能状態を表わす許可表示２３とを設ける。各表示２２・２３は、文字ないし絵文字などの視覚的に認識される表示で形成するか、または突起ないし凹部などの触覚で認識できる立体表示で形成する。【選択図】図１
2006228360.tif 000002
【特許請求の範囲】
【請求項１】
本体ケースと、前記本体ケースの外周壁の一部に開口した表示窓と、前記本体ケースの前記表示窓の内方に配置した誤消去防止用の切換えピースとを含むテープカートリッジであって、
前記切換えピースは、それぞれ前記表示窓に臨むよう設けた筒部および操作ダイヤルと、前記筒部および前記操作ダイヤルの上下に設けた回転軸とを一体に備えており、
前記筒部は、前記回転軸と同心状に形成された優弧状の筒壁と、前記筒壁の端部どうしをつなぐ平坦壁とを有し、
前記平坦壁の外面と、前記平坦壁に対向する前記筒壁の外面とには、一方に記録禁止状態を意味する禁止表示を、他方に記録可能状態を表わす許可表示をそれぞれ設けてあることを特徴とするテープカートリッジ。
【請求項２】
前記禁止表示および前記許可表示が、それぞれ文字ないし絵文字などの視覚的に認識される表示である請求項１記載のテープカートリッジ。
【請求項３】
前記禁止表示および前記許可表示が、それぞれ突起ないし凹部などの触覚で認識できる立体表示である請求項１記載のテープカートリッジ。
【発明の詳細な説明】
【技術分野】
【０００１】
本発明は、誤消去防止構造を備えているテープカートリッジ、なかでも円筒状の切換えピースを回転操作することにより、記録可能状態と記録禁止状態とに切り換え可能な誤消去防止構造を備えたテープカートリッジに関する。
【背景技術】
【０００２】
この種の誤消去防止構造を備えたテープカートリッジは、例えば特許文献１に公知である。そこでは、本体ケースの前壁の一部に表示窓を開口し、本体ケース内に円筒状の切換えピースを表示窓に臨むよう配置しておき、切換えピースの筒壁に指先を掛けて切換えピースを回転操作することにより、切換えピースを記録可能状態と、記録禁止状態とに切り換えるようになっている。記録可能状態における切換えピースは、その円筒外周面が表示窓から外部に露出しており、記録禁止状態においては、円筒外周面の一箇所に設けた平坦壁が表示窓に現れる。
【０００３】
【特許文献１】特開平７−２９６５５８号公報（段落番号００１６、図１）
【発明の開示】
【発明が解決しようとする課題】
【０００４】
上記の形態を採る従来の誤消去防止構造によれば、切換えピースの外周面形状の違いによって記録可能状態と記録禁止状態とを見分けることになる。しかし、切換えピースは記録可能状態と記録禁止状態との中間位置にセットされることがあり、その場合に外力が作用しない限り中間の切り換え姿勢に保持されたままになる。この状態では、切換えピースの円筒外周面が表示窓から露出することになるので、記録可能状態にセットしたのか、記録禁止状態にセットしたのかが判然としない。
【０００５】
切換えピースが中間位置に切り換えられた状態のままであっても、もともと切換えピースが記録可能な位置にあるべき場合には、問題はない。しかし、磁気テープに対する記録を禁止すべきである場合に、切換えピースが中間位置にあると、指先が切換えピースに誤って接触したり、あるいは外部衝撃を受けたりすると、切換えピースが簡単に記録可能位置へ切り換わるおそれがある。こうした場合には、磁気テープに記録されていた情報信号が失われ、あるいは記録情報の信頼性が損なわれるなど重大な問題を招く。
【０００６】
本発明の目的は、切換えピースが記録可能姿勢と記録禁止姿勢とのいずれかに適正に切り換わっていることを明確に確認でき、したがって切換えピースが中間位置に切り換わった状態のままでテープドライブに装填されるのを未然に防止し、誤消去を確実に防止できるテープカートリッジを提供することにある。
【０００７】
本発明の目的は、切換えピースの切り換え状態が目視で確認できるのはもちろんのこと、切換えピースを指先で触ることによっても切り換え状態を特定できるテープカートリッジを提供することにある。
【課題を解決するための手段】
【０００８】
本発明のテープカートリッジは、本体ケース１の周壁の一部に表示窓８が開口しており、本体ケース１の表示窓８の内方に誤消去防止用の切換えピース９が配置してある。その切換えピース９は、それぞれ表示窓８に臨むよう設けた筒部１０および操作ダイヤル１１と、筒部１０および操作ダイヤル１１の上下に設けた回転軸１２・１３とを一体に備えている。前記筒部１０は、回転軸１２と同心状に形成された優弧状の筒壁２０と、筒壁２０の端部どうしをつなぐ平坦壁２１とを有する。以て、図１に示すごとく平坦壁２１の外面と、平坦壁２１に対向する筒壁２０の外面とには、一方に記録禁止状態を意味する禁止表示２２を、他方に記録可能状態を表わす許可表示２３をそれぞれ設けたことを特徴とする。
【０００９】
禁止表示２２および許可表示２３は、それぞれ文字ないし絵文字などの視覚的に認識される表示を選ぶことができる。ここで言う視覚的に認識される表示とは、印刷以外の凹凸模様などの立体的な表示も含む。
【００１０】
また、禁止表示２２および許可表示２３は、それぞれ図６に示すごとく突起ないし凹部などの触覚で認識できる立体表示にすることができる。
【発明の効果】
【００１１】
本発明では、切換えピース９の筒部１０に設けた平坦壁２１の外面と、平坦壁２１に対向する筒壁２０の外面とに、それぞれ記録禁止状態を意味する禁止表示２２と、記録可能状態を表わす許可表示２３とを設けたので、表示窓８に出現する表示を目視することによって、切換えピース９の切り換え状態を明確に確認できる。したがって、切換えピース９が中間位置に切り換わった状態にあるときは、先の各表示２２・２３を明確に判別することができないので、そのことが使用者の注意力を喚起し、切換えピース９を記録禁止状態と記録許可状態とのいずれか一方の適正位置に回転操作することを促すことになる。これにより、切換えピース９が中間位置に切り換わった状態のままでテープドライブにテープカートリッジが装填されるのを防止し、とくに磁気テープ３に対する記録を禁止すべきである場合に、切換えピース９が使用者の意図とは裏腹に記録可能状態に切り換わってしまい、記録情報が誤消去されるのを確実に防止できる。
【００１２】
禁止表示２２および許可表示２３が、文字ないし絵文字などの視覚的に認識される表示で形成されていると、禁止表示２２および許可表示２３を一見するだけで切換えピース９の切り換え状態を明確に確認できるし、テープカートリッジの出荷先の言語の違いや、表示形態の違いなどに応じて表示内容を比較的簡単に変更できる。とくに、各表示２２・２３が印刷表示の場合には、その内容変更が簡便に、しかも多くのコストを伴うこともなく行える。
【００１３】
禁止表示２２および許可表示２３が、突起ないし凹部などの触覚で認識できる立体表示で形成されていると、視覚による表示内容の把握に加えて、指先で各表示２２・２３を触ることによっても表示内容を確認できるので、照明が不十分な環境下や、視覚障害者であっても、切換えピース９の切り換え状態を明確に確認できる。さらに、禁止表示２２や許可表示２３に指先をあてがった状態で切換えピース９を回転操作することにより、指先が滑るのを阻止して、切換えピース９を確実に回転操作できる。つまり、禁止表示２２や許可表示２３が滑り止め機能を発揮するので、とくに切換えピース９と本体ケース１との間にクリック手段が設けてあって、切換えピース９の回転抵抗が大きい場合にも、切換えピース９を容易に回転操作するに有利である。
【発明を実施するための最良の形態】
【００１４】
（実施例１）  図１ないし図４は本発明を単リール型のテープカートリッジに適用した実施例を示す。図２においてテープカートリッジは、本体ケース１と、本体ケース１内に回転可能に収容されるテープリール２と、テープリール２に巻装される長尺の磁気テープ３と、不使用状態のテープリール２を回転不能にロック保持するリールロック機構と、誤消去防止構造などを備えている。本体ケース１は、上ケース１ａと下ケース１ｂとを蓋合わせ状に接合して角箱状に形成してある。
【００１５】
磁気テープ３の繰り出し端にはリーダーブロック４を固定してあり、このリーダーブロック４をテープドライブ側のローディング機構で捕捉することにより、磁気テープ３を本体ケース１から引き出し、テープドライブ側の巻取リールに巻き込むことができる。不使用状態のリーダーブロック４は、本体ケース１の前側の一隅（図２の左側）に開口したテープ引出口５に保持される。
【００１６】
磁気テープ２に記録された情報信号が誤って消去されるのを防ぐために、本体ケース１の前壁の他側（図２の右側）に表示窓８が開口しており、本体ケース１の表示窓８の内方に誤消去防止構造が設けられている。表示窓８は、上ケース１ａの前壁を下ケース１ｂとの接合部分においてコ字状に切り欠いて形成した。誤消去防止構造は、筒構造の切換えピース９と、切換えピース９と本体ケース１との間に設けられるクリック手段などを含む。
【００１７】
図１において切換えピース９は、それぞれが表示窓８に臨むよう設けられる筒部１０、およびギヤ歯状に形成された操作ダイヤル１１と、筒部１０および操作ダイヤル１１の上下に突設した回転軸１２・１３とを一体に備えたプラスチック成形品である。図４に示すように、上方の回転軸１２は上ケース１ａの内面に設けたボス１４に軸支し、下方の回転軸１３は下ケース１ｂの内面に設けた断面鍵穴状のボス１５に軸支することにより、切換えピース９は本体ケース１に対して縦軸まわりにのみ回転可能に支持されている。この状態における筒部１０および操作ダイヤル１１の回転軌跡の前端は、図２の想像線で示すように本体ケース１の前壁と面一状になっている。
【００１８】
切換えピース９の筒部１０は、回転軸１２・１３と同心状に形成された優弧状の筒壁２０と、筒壁２０の端部どうしをつなぐ平坦壁２１とで、横断面がトンネル形状に形成されている。切換えピース９が記録可能姿勢と記録禁止姿勢とに適正に切り換わっていることを明示するために、平坦壁２１の外面と、平坦壁２１に対向する筒壁２０の外面とには、それぞれ記録禁止状態を意味する禁止表示２２と、記録可能状態を表わす許可表示２３とを設ける。
【００１９】
図１において、記録禁止状態を意味する禁止表示２２は、錠止状態の南京錠を表わす絵文字からなり、平坦壁２１の外面中央に印刷で形成した。記録可能状態を表わす許可表示２３は、「ＲＥＣ」と表記される文字列からなり、平坦壁２１と対向する筒壁２０の外面中央に印刷で形成した。
【００２０】
因みに、禁止表示２２が表示窓８に臨んでいるときは、テープドライブ側の検知ピンの先端が平坦壁２１に当たって、テープドライブ側では切換えピース９が記録禁止状態に切り換わっていると判断する。許可表示２３が表示窓８に臨んでいるときは、テープドライブ側の検知ピンの先端が優弧状の筒壁２０で受け止められるので、テープドライブ側では切換えピース９が記録可能状態に切り換わっていると判断する。もちろん、テープカートリッジを取り扱う使用者は、禁止表示２２および許可表示２３を目視することによって、切換えピース９の切り換え状態を明確に確認できる。
【００２１】
クリック手段は、記録可能姿勢または記録禁止姿勢に択一的に切り換えられた切換えピース９を回動規制して、各切り換え姿勢を位置保持するために、下方の回転軸１３と下ケース１ｂ側のボス１５とを利用して設けてある。具体的には、図２および図４に示すように、回転軸１３の中央にスリット２５を設けて回転軸１３を前後に区分し、区分された軸の片方の外面に縦方向のリブ２６を膨出形成し、片方の軸部分を弾性脚２７とする。
【００２２】
ボス１５は、左右に対向する部分円弧状の弾性壁２８で構成してあり、弾性壁２８の前後端の間にリブ２６が落ち込み係合するクリック溝２９を備えている。ボス１５の内面直径寸法は、回転軸１３の直径寸法と同じか、これより僅かに大きく設定しておく。弾性壁２８の下端は、下ケース１ｂの底壁につながり、弾性壁２８の前端は、下ケース１ｂの前壁につながっている。
【００２３】
図３（ｂ）に示すように、禁止表示２２が表示窓８に臨んでいるとき、リブ２６はケース後方のクリック溝２９に係合して切換えピース９の回動を規制している。この状態から操作ダイヤル１１を回転操作すると、リブ２６を備えた弾性脚２７と、左右の一方の弾性壁２８とが互いに離れる向きに弾性変形して切換えピース９の回動を許す。そのまま操作ダイヤル１１を１８０度近くまで回転操作すると、リブ２６がケース前方のクリック溝２９に落ち込み係合して、再び切換えピース９の回動を規制する。このとき、図３（ａ）に示すように、許可表示２３が表示窓８に露出する。
【００２４】
上記構成のテープカートリッジによれば、切換えピース９の筒部１０に設けた禁止表示２２および許可表示２３を表示窓８から一見するだけで、切換えピース９の切り換え状態を明確に確認できる。記録可能位置または記録禁止位置のいずれかの位置から、切換えピース９を９０度前後回転操作した状態では、禁止表示２２および許可表示２３のいずれもが本体ケース１内に位置するため、各表示２２・２３は目視できない。したがって、使用者は切換えピース９が正常な切り換え位置にないことを確認でき、そのことで使用者の注意力を喚起する。
【００２５】
図５において許可表示２３は、禁止表示２２と同様の絵文字で形成することができる。この実施例では、解錠された状態の南京錠を表わす絵文字を筒壁２０に印刷して許可表示２３を形成した。他は先の実施例と同じであるので、同じ部材には同じ符号を付してその説明を省略する。以下の実施例においても同様に扱う。
【００２６】
上記の実施例では、禁止表示２２および許可表示２３のそれぞれを印刷で入れたが、両表示２２・２３は、図６（ａ）〜（ｃ）に示すように突起ないし凹部などの触覚で認識できる立体表示であってもよい。
【００２７】
図６（ａ）では筒壁２０の中央下部に逆三角形状の許可表示２３を一体に膨出形成した。この場合の禁止表示２２は、平坦壁２１を触れることで判別できるので、必ずしも膨出形成する必要はない。図６（ｂ）では、筒壁２０の中央に上下方向の縦溝を形成して許可表示２３とした。図６（ｃ）では、筒壁２０の中央に上下方向の膨出壁を突出形成して許可表示２３とした。これらの立体表示で形成した許可表示２３は、先の印刷表示と組み合わせて形成してもよい。必要に応じて、操作ダイヤル１１の部分に立体表示からなる許可表示２３を形成してもよい。
【００２８】
許可表示２３が立体表示であると、目視に加えて、許可表示２３を指先で触れることによっても切換えピース９の切り換え状態を確認できるので、照明が不十分な環境下や、視覚障害者でも、誤消去防止構造の切り換え状態を明確に確認できる。
【００２９】
上記の実施例以外に、本発明は、筒構造の切換えピース９を備えている他形式のテープカートリッジにも同様に適用できる。表示窓８は、本体ケース１の外周壁のいずれかの部位に開口してあれば足りる。禁止表示２２と許可表示２３との間の筒壁周面には、切換えピース９の切り換え位置が不適切であることを意味する警告表示、例えば縞状の帯模様や×印などを表示することができる。
【図面の簡単な説明】
【００３０】
【図１】誤消去防止構造を示す要部の分解斜視図
【図２】テープカートリッジの内部の平面図
【図３】切換えピースの切り換え状態を説明する斜視図
【図４】図２におけるＡ−Ａ線断面図
【図５】許可表示の別実施例を示す斜視図
【図６】許可表示を立体表示で形成した別実施例を示す斜視図
【符号の説明】
【００３１】
１  本体ケース
８  表示窓
９  切換えピース
１０  切換ピースの筒部
１１  操作ダイヤル
２０  筒壁
２１  平坦壁
２２  禁止表示
２３  許可表示
【図１】
2006228360.tif 000003
【図２】
2006228360.tif 000004
【図３】
2006228360.tif 000005
【図４】
2006228360.tif 000006
【図５】
2006228360.tif 000007
【図６】
2006228360.tif 000008